(57)【要約】【課題】本発明はディスク装置に関し、縦置きで使用した場合におけるディスクを垂直の姿勢で係止する動作の信頼性を向上させることを課題とする。【解決手段】ディスクトレイ４０は、ディスク載置部４１の周囲に、第１の係止爪部５０及び第２の係止爪部６０に加えて、ディスクガイド爪部７０を有する。ディスクガイド爪部７０は、第２の係止爪部６０よりも低い位置であって、第２の係止爪部６０の近くに位置している。ディスク載置部４１内で光ディスクがＹ２方向に変位したときに、ディスクガイド爪部７０は光ディスクの縁を案内して、光ディスクの縁が第２の係止爪部６０の内側に入り込むようにする。【選択図】        図３
2004220738.tif 000002
【特許請求の範囲】
【請求項１】
ディスクが載置されるディスク載置部を有し、ディスク装置本体に対して出入り可能に設けてあり、上記ディスク載置部に載っているディスクを上記ディスク装置本体の外に運び出すディスクトレイを備えてなり、
該ディスクトレイは、その幅方向の端側に、上記ディスク装置が縦置きで使用するときに、垂直の姿勢とされたディスクの下側の縁を該ディスクが倒れないように係止するディスク係止爪部を有する構成であるディスク装置において、
該ディスクトレイは、ディスクが垂直の姿勢で上記ディスク係止爪部に近づいた場合に、ディスクの縁が上記ディスク係止爪部に係止されるようにディスクを案内するディスクガイド部を有する構成としたことを特徴とするディスク装置。
【請求項２】
請求項１記載のディスク装置において、
上記ディスク係止爪部は、低い位置に位置する第１のディスク係止爪部と、該第１のディスク係止爪部より高い位置に位置する第２のディスク係止爪部とよりなり、
上記ディスクガイド部は、上記第１のディスク係止爪部よりも第２のディスク係止爪部に近い位置であって、且つ、該第２のディスク係止爪部よりも低い位置に位置しており、
該ディスクガイド部は、ディスクの縁が上記第２のディスク係止爪部に係止されるようにディスクを案内する構成としたことを特徴とするディスク装置。
【請求項３】
請求項１又は請求項２記載のディスク装置において、
上記ディスクガイド部は、その先端に、ディスクの縁を案内する傾斜面を有する構成としたことを特徴とするディスク装置。
【請求項４】
請求項２記載のディスク装置において、
上記第１の係止爪部、第２の係止爪部、ディスクガイド部は、ディスクトレイの長手方向の中心線に関して左右対称に配置されている構成としたことを特徴とするディスク装置。
【発明の詳細な説明】
【０００１】
【発明の属する技術分野】
本発明はディスク装置に係り、特に、コンピュータ装置に縦向きの姿勢で組込まれて使用されるディスクトレイ式のディスク装置に関する。
【０００２】
【従来の技術】
一般には、コンピュータ装置においては、光ディスク記録再生装置は、専ら、ディスクトレイが水平である横置きで組込まれているけれども、コンピュータ装置の小型化を図るために、光ディスク記録再生装置をそのディスクトレイが垂直となる縦置きで組込む場合もある。
【０００３】
図１１は縦置きでも組込むことが可能であるようになっている従来の光ディスク記録再生装置１０を示す。光ディスク記録再生装置１０は縦置きで組込まれている。ディスクトレイ１１には、第１の係止爪部１２と、第２の係止爪部１３とが形成してある。ディスクトレイ１１が装置本体１４から外側に移動された状態で、光ディスク２０は、その下側の縁の部分を第１の係止爪部１２及び第２の係止爪部１３とに係止されて、倒れない状態で支持される。
【０００４】
【特許文献】
特開平８−１２４２６４号公報
【０００５】
【発明が解決しようとする課題】
ここで、第１の係止爪部１２及び第２の係止爪部１３のサイズは、光ディスクのクランプ動作、及び光ディスク記録再生装置１０が横置きで組込まれた場合において光ディスクをセットする動作に邪魔とならないように定めてあり、大きくは出来ず、小さい。このため、再生が終了して光ディスク２０がクランプを解除され、ディスクトレイ１１がクランプを装置本体１４から外側に移動されたときに、第１の係止爪部１２及び第２の係止爪部１３が光ディスク２０の下側の縁の部分を係止する動作の信頼性が十分に高くはなかった。特に、例えばテーブル１００が傾斜しており、この上に置かれたコンピュータ装置１１０に縦向きに組み込んである光ディスク記録再生装置１０が図１２に示すように垂直の姿勢から多少傾斜して多少オーバハングの状態である場合には、光ディスク２０が第１、第２の係止爪部１２、１３に正常に係止されないことが起き易かった。光ディスク２０が第１、第２の係止爪部１２、１３に係止されないと、光ディスク２０は図１２に示すように装置本体１４から外に突き出たディスクトレイ１１からこぼれ落ちてしまうことになる。
【０００６】
そこで、本発明は、上記課題を解決したディスク装置を提供することを目的とする。
【０００７】
【課題を解決するための手段】
請求項１の発明は、ディスクが載置されるディスク載置部を有し、ディスク装置本体に対して出入り可能に設けてあり、上記ディスク載置部に載っているディスクを上記ディスク装置本体の外に運び出すディスクトレイを備えてなり、
該ディスクトレイは、その幅方向の端側に、上記ディスク装置が縦置きで使用するときに、垂直の姿勢とされたディスクの下側の縁を該ディスクが倒れないように係止するディスク係止爪部を有する構成であるディスク装置において、
該ディスクトレイは、ディスクが垂直の姿勢で上記ディスク係止爪部に近づいた場合に、ディスクの縁が上記ディスク係止爪部に係止されるようにディスクを案内するディスクガイド部を有する構成としたものである。
【０００８】
ディスクガイド部を設けたことによって、ディスクがディスクトレイによってディスク装置本体の外に運び出されたときに、ディスクがディスク係止爪部に係止される動作が従来に比べて確実に行われるようになる。
【０００９】
請求項２の発明は、請求項１記載のディスク装置において、
上記ディスク係止爪部は、低い位置に位置する第１のディスク係止爪部と、該第１のディスク係止爪部より高い位置に位置する第２のディスク係止爪部とよりなり、
上記ディスクガイド部は、上記第１のディスク係止爪部よりも第２のディスク係止爪部に近い位置であって、且つ、該第２のディスク係止爪部よりも低い位置に位置しており、
該ディスクガイド部は、ディスクの縁が上記第２のディスク係止爪部に係止されるようにディスクを案内する構成としたものである。
【００１０】
請求項３の発明は、請求項１又は請求項２記載のディスク装置において、上記ディスクガイド部は、その先端に、ディスクの縁を案内する傾斜面を有する構成としたものである。
【００１１】
ディスクガイド部の先端に傾斜面が存在することによって、ディスクの案内がより確実に行われる。
【００１２】
請求項４の発明は、請求項２記載のディスク装置において、
上記第１の係止爪部、第２の係止爪部、ディスクガイド部は、ディスクトレイの長手方向の中心線に関して左右対称に配置されている構成としたものである。
【００１３】
左右対称の配置であることによって、ディスク装置はどちらの向きでも縦置きが可能となる。
【００１４】
【発明の実施の形態】
図１は、本発明の一実施例になる光ディスク記録再生装置３０が縦置きとしてあり、且つ、光ディスク２０が外部に排出された状態を示す。光ディスク記録再生装置３０は、装置本体３１と、ディスクトレイ４０とを有する。Ｙ１−Ｙ２はディスクトレイ４０の幅方向、Ｘ１−Ｘ２はディスクトレイ４０の長手方向であってディスクトレイ４０の移動方向である。光ディスク記録再生装置３０が縦置きにされた状態で、Ｙ１は上方向、Ｙ２が下方向である。装置本体３１の内部には、光学ヘッド３２、ターンテーブル３３、ターンテーブル用モータ３４、ターンテーブル３３をＺ２−Ｚ１方向に昇降させるターンテーブル昇降機構３５、ディスクトレイ４０をＸ１−Ｘ２方向に移動させるディスクトレイ移動機構３６、クランパ３７、ディスクセンタリング用ガイド部３８，３９等が設けてある。
【００１５】
図２（Ａ）は記録再生モード状態を示す。光ディスク２０はクランパ３４によってターンテーブル３３上にクランプされ、ディスクトレイ４０より若干浮いた状態でモータ３４によって回転され、光学ヘッド３２によって記録又は再生される。図２（Ｂ）は記録又は再生が終了してクランプが解除されたときの状態を示す。ターンテーブル３３がＺ２方向に移動され、光ディスク２０はクランプを解除され重力でＹ２方向に少し移動して、ディスクセンタリング用ガイド部３７に支持されている。図２（Ｃ）はディスクトレイ４０がＸ２方向に移動されて装置本体３１の外に出た状態を示す。ディスクトレイ４０が移動を開始すると、光ディスク２０はガイド部３７から外れてディスクトレイ４０に後述するように支持される。光ディスク２０はディスクトレイ４０によって運ばれて、排出され、ディスクトレイ４０に支持されている。光ディスク２０は操作者が手の指で掴んで、ディスクトレイ４０から取り外される。
【００１６】
なお、光ディスク２０の装着は、光ディスク２０を装置本体３１の外に出ているディスクトレイ４０に垂直にセットし、この後は、モータによって、ディスクトレイ４０がＸ１方向に移動され、光ディスク２０はディスクトレイ４０によって装置本体３１内に運ばれて、クランパ３４によってターンテーブル３３上にクランプされることによって完了する。
【００１７】
次に、ディスクトレイ４０について、特にディスク係止爪及びディスクガイド爪に重きをおいて説明する。
【００１８】
図１、図３、図４、図５に示すように、ディスクトレイ４０は、樹脂成形品であり、光ディスク２０が載置される浅い偏平な凹形状のディスク載置部４１と、開口窓４２を有する。ディスクトレイ４０のＹ２，Ｙ１側は上面に対して一段低い段部４３、４３Ａが形成してあり、ディスク載置部４１は段部４３、４３Ａにまで及ぶように形成してあり、ディスク載置部４１のうちＹ２側、Ｙ１側は切欠開口４４、４４Ａとなっている。
【００１９】
ディスク載置部４１の周囲には、Ｘ１−Ｘ２方向中心線に４５に関してＹ１−Ｙ２方向に対称に、第１の係止爪部５０、５０Ａ、第２の係止爪部６０、６０Ａ、及び本発明の要部をなすディスクガイド爪部７０，７０Ａが形成してある。係止爪部５０、５０Ａ、６０、６０Ａ、及びガイド爪部７０，７０Ａの寸法は、夫々の先端部を通る円の直径が、光ディスク２０の直径よりも少し大きいように定めてある。
【００２０】
第１の係止爪部５０は、切欠開口４４のＸ１側の縁に臨む位置にディスク載置部４１の中心０２の方向に迫り出して設けてある。第２の係止爪部６０は、切欠開口４４のＸ２側の縁よりＹ１方向にずれている位置に中心０２の方向に迫り出して設けてある。ディスクガイド爪部７０は切欠開口４４のＸ２側の縁に臨む位置に中心０２の方向に迫り出して設けてある。
【００２１】
ここで、図４中、載置部４１の中心０２を通るＹ１−Ｙ２方向線４６が段部４３と交差する点０１を原点するＸ−Ｙ座標系を考えてみる。このＸ−Ｙ座標系において、第１の係止爪部５０は座標（ｘ１，ｙ１）の位置に、第２の係止爪部６０は座標（ｘ２，ｙ２）の位置に、ディスクガイド爪部７０は座標（ｘ３，ｙ３）の位置に配置してある。ｘ１〜ｘ３，ｙ１〜ｙ３は、ｘ１＜ｘ２、ｘ１＝ｘ３、ｙ１＜ｙ２、ｙ１＝ｙ３の関係にある。第１の係止爪部５０及び第２の係止爪部６０はＹ１−Ｙ２方向線４６に関して互いに反対側に位置しており、第１の係止爪部５０は低い位置、第２の係止爪部６０は第１の係止爪部５０よりも高い位置に位置している。第１の係止爪部５０と第２の係止爪部６０とは比較的長い距離Ｌ１離れている。ディスクガイド爪部７０は、第１の係止爪部５０と同じく低い位置に位置しており、第１の係止爪部５０に対してＹ１−Ｙ２方向線４６に関して反対側に位置しており、第１の係止爪部５０よりも第２の係止爪部６０に近い位置に位置している。
【００２２】
また、ディスク載置部４１の浅い偏平な凹形状の底の縁のうちＹ２側の部分には、斜面部８０が形成してある。斜面部８０の頂上部は、ディスク載置部４１の底面４１ａと平行である頂上面８２となっている。この頂上面８２と第１の係止爪部５０、第２の係止爪部６０、ディスクガイド爪部７０の内側面との間のＺ１−Ｚ２方向の寸法ａは、光ディスク２０の厚さｔの約２倍の寸法である。
【００２３】
第１の係止爪部５０、第２の係止爪部６０、ディスクガイド爪部７０の先端の内側には、ディスクガイド用傾斜面５０ａ，６０ａ，７０ａが形成してある。
【００２４】
樹脂成形の関係で、ディスクトレイ４０は、図６（Ａ）乃至（Ｃ）に示すように、第１の係止爪部５０、第２の係止爪部６０、ディスクガイド爪部７０の下側（Ｚ１側）の部位は、開口５０ｃ，６０ｃ，７０ｃとなっている。
【００２５】
次に、再生モード中の光ディスク記録再生装置３０が再生を終了して光ディスク２０を外に排出するときに、光ディスク２０がディスクガイド爪部７０に案内されて第１の係止爪部５０及び第２の係止爪部６０に確実に係止される動作について説明する。
【００２６】
図７（Ａ）乃至（Ｇ）は、図２（Ａ）は再生モード状態における光ディスク２０の周縁２０ａと、第１の係止爪部５０、第２の係止爪部６０、ディスクガイド爪部７０との位置関係を示す。図７（Ｄ）及び（Ｇ）は光ディスク周縁２０ａの第１の係止爪部５０に対する位置を拡大して示す。図７（Ｂ）及び（Ｅ）は光ディスク周縁２０ａの第２の係止爪部６０に対する位置を拡大して示す。図７（Ｃ）及び（Ｆ）は光ディスク周縁２０ａのディスクガイド爪部７０に対する位置を拡大して示す。図７（Ｈ）、（Ｉ）、（Ｊ）は、光ディスク２０の再生が終了して光ディスク２０のクランプを解除する動作が開始されたときの状態を示す。図８（Ａ）乃至（Ｊ）は、図２（Ｂ）に示す光ディスク２０のクランプが解除されたときの状態における、上記の図７（Ａ）乃至（Ｊ）に対応する図である。図９（Ａ）乃至（Ｇ）は、図２（Ｃ）に示す光ディスク２０がディスクトレイ４０によって装置本体３１の外に運び出されたときの状態における、上記の図７（Ａ）乃至（Ｇ）に対応する図である。
【００２７】
光ディスク２０がターンテーブル３３上にクランプされている再生モード時においては、光ディスク２０は図７（Ｅ）乃至（Ｇ）に示すようにディスク載置部４１の底面から浮いている。また、図７（Ａ）、（Ｄ）、（Ｂ）に示すように、周縁２０ａと、第１の係止爪部５０及び第２の係止爪部６０との間には、光ディスク２０の径方向上についてみると、等しい隙間ｇ１があいている。Ｙ１−Ｙ２方向についてみると、周縁２０ａと第１の係止爪部５０との間には、隙間ｇ２があいており、周縁２０ａと第２の係止爪部６０との間には、隙間ｇ３があいている。第１の係止爪部５０及び第２の係止爪部６０の配置の関係で、隙間ｇ３は隙間ｇ２より必ず大きい。よって、光ディスク２０がＹ２方向に変位した場合に、第２の係止爪部６０への係止の開始は第１の係止爪部５０への係止の開始に比べて必ず遅れることになる。このことが光ディスク２０が第２の係止爪部６０へ係止される動作が不安定となる原因であった。
【００２８】
第２の係止爪部６０の近くに位置する本発明の要部をなすディスクガイド爪部７０は、ディスクガイド爪部７０は、周縁２０ａとの隙間が、光ディスク２０の径方向上については、上記の隙間ｇ１と等しいｇ４であり、Ｙ１−Ｙ２方向に関しては、上記の第１の係止爪部５０についての隙間ｇ２と等しいｇ５であるように定めてある。即ち、ｇ５＝ｇ２であり、ｇ５＜ｇ３である。
【００２９】
光ディスク２０の再生が終了して光ディスク２０のクランプを解除する動作が開始されると、光ディスク２０はＹ２方向には変位しないでＺ１方向にだけ変位して、図７（Ｅ）、（Ｆ）、（Ｇ）に示す状態が夫々図７（Ｈ）、（Ｉ）、（Ｊ）に示す状態となる。
【００３０】
図２（Ｂ）に示すように光ディスク２０のクランプが解除されると、光ディスク２０は、図８（Ａ）に示すようにディスク載置部４１の内部で重力でもってＹ２方向に少し移動して、上記隙間ｇ２、ｇ３、ｇ４が減少し、周縁２０ａのうちＹ２方向の端の部分が切欠開口４４の個所でディスクセンタリング用ガイド部３８に支持された状態となる。
【００３１】
図８（Ｄ）、（Ｇ）に示すように、周縁２０ａと第１の係止爪部５０との間の隙間は零となる。図８（Ｂ）、（Ｅ）に示すように、周縁２０ａと第２の係止爪部６０との間には、依然として隙間ｇ６が残っている。図８（Ｃ）、（Ｆ）に示すように、周縁２０ａとディスクガイド爪部７０との間の隙間は零となる。
【００３２】
ディスクトレイ４０がＸ２方向に移動を開始し、光ディスク２０がディスクセンタリング用ガイド部３７から外れ始め光ディスク２０がディスクトレイ４０に対してＹ２方向に変位を開始すると、図８（Ｊ）に示すように、周縁２０ａが傾斜面５０ａに案内されて第１の係止爪部５０に係止され始め、且つ、図８（Ｉ）に示すように、周縁２０ａが傾斜面７０ａに沿ってディスクガイド爪部７０によって案内され始める
ディスクトレイ４０がＸ２方向に移動しディスク載置部４１が装置本体３１の外に出て光ディスク２０が装置本体３１の外に運び出されると、光ディスク２０はディスクセンタリング用ガイド部３８から完全に外れて更にＹ２方向に変位する。
【００３３】
第１の係止爪部５０についてみると、周縁２０ａが傾斜面５０ａに案内され始めているので、図９（Ａ），（Ｄ），（Ｇ）に示すように、周縁２０ａが第１の係止爪部５０に正常に且つ完全に係止される。
【００３４】
ディスクガイド爪部７０についてみると、同じく周縁２０ａが傾斜面７０ａに案内され始めているので、図９（Ａ），（Ｃ），（Ｆ）に示すように、光ディスク２０の周縁２０ａは、ディスクガイド爪部７０によって完全に案内される。
【００３５】
ディスクガイド爪部７０の近くに位置する第２の係止爪部６０についてみると、光ディスク２０の周縁２０ａがディスクガイド爪部７０によって案内されることによって光ディスク２０がディスク載置部４１から抜け出す方向、即ち、Ｚ２方向へ無用に変位することが制限されることによって、光ディスク２０の周縁２０ａは、第２の係止爪部６０に確実に係止され始めて、図９（Ａ），（Ｂ），（Ｅ）に示すように確実に完全に係止される。
【００３６】
よって、テーブル上に置かれたコンピュータ装置が垂直であって光ディスク記録再生装置３０が垂直の姿勢である場合は勿論、図１２に示すように、テーブル１００上に置かれたコンピュータ装置１１０が多少傾斜しており、光ディスク記録再生装置３０が図１０に示すように多少オーバハングの状態である場合であっても、ディスクトレイ４０がＸ２方向に移動して光ディスク２０が装置本体３１の外に運び出された状態において、光ディスク２０は、ディスク載置部４１内に位置して、Ｙ２側の周縁２０ａを第１の係止爪部５０と第２の係止爪部６０によって正常に係止され、更には、ディスクガイド爪部７０によっても係止された状態となり、図１２に示すようにディスクトレイからこぼれ落ちることはなく、図１０に示すように、ディスクトレイ４０上に支持され続ける。
【００３７】
図２（Ｃ）に示すように、ディスクトレイ４０のＸ１側寄りの部分には、軽量化のために複数の開口窓４５が形成してある。
【００３８】
第１の係止爪部５０、第２の係止爪部６０、ディスクガイド爪部７０の上側にはリブ５０ｂ，６０ｂ，７０ｂが形成してある。リブ５０ｂ，６０ｂ，７０ｂは、ディスクトレイ４０と装置本体３１の天井面との間の隙間に位置して、ディスクトレイ４０が装置本体３１の内部に入っている状態で、クランプを解除された光ディスク２０が何らかの原因でＺ２方向に移動してディスク載置部４１から浮いて、光ディスク２０が第１の係止爪部５０或いは第２の係止爪部６０、ディスクガイド爪部７０のＺ２側を乗り越えようとした場合に、この光ディスク２０の動きを制限する。これによって、光ディスク２０がディスク載置部４１から装置本体３１の内部に転がり出してしまうことが防止される。
【００３９】
なお、本実施例では、ディスクトレイ４０のディスクトレイ４０の裏面にディスクトレイ移動機構３５のピニオンとかみ合うラック（図示せず）が連続して形成してあり、このラック（図示せず）を破壊しないで、且つ、ディスク係止爪部及びディスクガイド爪部を左右対称の配置とする関係で、ディスクガイド爪部は第２のディスク係止爪部と離して形成してあるけれども、ディスクトレイ４０の裏面にラック（図示せず）が形成されていない場合には、ディスクガイド爪部を第２のディスク係止爪部から切欠開口４４、４４Ａの方向に延ばして第２のディスク係止爪部と連続して形成することも可能である。
【００４０】
なお、図１に示すように、第１の係止爪部５０、５０Ａ、第２の係止爪部６０、６０Ａ、及びディスクガイド爪部７０，７０ＡがＸ１−Ｘ２方向中心線に４５に関してＹ１−Ｙ２方向に対称に配置してあるため、光ディスク記録再生装置３０は、ディスクセンタリング用ガイド部３９が下側に位置する向きで設置することも可能である。この場合には、光ディスク２０はディスクガイド爪部７０Ａによって案内され、これによって、光ディスク２０は第２の係止爪部６０Ａに正常に係止される。
【００４１】
また、光ディスク記録再生装置３０は、ディスクトレイ４０が水平の状態で設置されて使用可能であるのは勿論である。
【００４２】
また、上記の光ディスク２０は、ＣＤ−ＲＯＭ、ＣＤ−Ｒ、ＣＤ±ＲＷ、ＤＶＤ−ＲＯＭ、ＤＶＤ−Ｒ、ＤＶＤ±ＲＷ、ＤＶＤ−ＲＡＭ等の情報記録媒体として用いられる光ディスク全般のことを言い、上記構造のディスクトレイ４０は、光ディスク２０に記録及び／又は再生する光ディスク記録及び／又は再生装置の全てにおいて使用可能であるのは勿論である。
【００４３】
【発明の効果】
以上説明したように、本発明は、垂直の姿勢とされたディスクの下側の縁を該ディスクが倒れないように係止するディスク係止爪部を有するディスクトレイを備えたディスク装置において、ディスクトレイを、ディスクの縁がディスク係止爪部に係止されるようにディスクを案内するディスクガイド部を有する構成としたものであるため、ディスクがディスクトレイによってディスク装置本体の外に運び出されたときに、ディスクがディスク係止爪部に係止される動作が従来に比べて確実に行われるように出来、これによって、ディスク装置が多少オーバハングの状態である場合であっても、ディスクがディスクトレイからこぼれ落ちることが起きないように出来、信頼性の向上を図ることが出来る。
【図面の簡単な説明】
【図１】本発明の一実施例の光ディスク記録再生装置の縦置きの状態を示す斜視図である。
【図２】図１の光ディスク記録再生装置の動作を示す図である。
【図３】ディスクトレイを破断して示す斜視図である。
【図４】ディスクトレイを示す図である。
【図５】図４のディスクトレイの断面図である。
【図６】図４のディスクトレイのディスク係止爪部及びディスクガイド爪部を示す断面図である。
【図７】図２（Ａ）における光ディスクと爪部との位置関係を示す図である。
【図８】図２（Ｂ）における光ディスクと爪部との位置関係を示す図である。
【図９】図２（Ｃ）における光ディスクと爪部との位置関係を示す図である。
【図１０】図１の光ディスク記録再生装置が多少オーバハング状態である場合における、排出された光ディスクの係止状態を示す図である。
【図１１】従来の光ディスク記録再生装置を示す図である。
【図１２】図１１の光ディスク記録再生装置が多少オーバハング状態である場合における、排出された光ディスクのこぼれ落ちを説明する図である。
【符号の説明】
２０  光ディスク
３０  光ディスク記録再生装置
３１  装置本体
３２  光学ヘッド
３３  ターンテーブル
３４  ターンテーブル用モータ
３５  ターンテーブル昇降機構
３６  ディスクトレイ移動機構
３７  クランパ
３８，３９  ディスクセンタリング用ガイド部
４０  ディスクトレイ
４１  ディスク載置部
５０、５０Ａ  第１の係止爪部
６０、６０Ａ  第２の係止爪部
７０，７０Ａ  ディスクガイド爪部
【図１】
2004220738.tif 000003
【図２】
2004220738.tif 000004
【図３】
2004220738.tif 000005
【図４】
2004220738.tif 000006
【図５】
2004220738.tif 000007
【図６】
2004220738.tif 000008
【図７】
2004220738.tif 000009
【図８】
2004220738.tif 000010
【図９】
2004220738.tif 000011
【図１０】
2004220738.tif 000012
【図１１】
2004220738.tif 000013
【図１２】
2004220738.tif 000014